(57)【要約】【課題】面付け錠のツインロックを実現することができること。【解決手段】ケース状ケース状長座１５は扉１に取付けベースを介して垂直状態に固定され、また面付け錠箱４、４は前記長座の一側壁に形成された上下の縦長開口１９、１９を介して該長座にそれぞれ組込み込まれ、また室外側の上下の台座６Ａ、６Ｂはそれぞれ連結柱を有すると共に、これらの連結柱は扉の外壁面から長座へと差し込まれ、一方、室内側の上下の台座２Ａ、２Ｂは、上下の台座６Ａ、６Ｂにそれぞれ対応するように位置付けられ、さらに、室内側台座２Ａ、２Ｂと室外側の台座６Ａ、６Ｂは、室内側台座２Ａ、２Ｂから差し込まれかつ室外側の台座６Ａ、６Ｂの連結柱の内端部にそれぞれ螺着する連結手段に呼び付けられて一体的に結合する面付け錠ユニットの扉に対する取付け構造。【選択図】図１
2011149237.tif 000002
【特許請求の範囲】
【請求項１】
面付け錠ユニットの扉に対する取付け構造であって、該面付け錠ユニットは、少なくとも縦長内部空間を有するケース状の長座と、縦長ハンドル装着用内外の上下の台座或いは台座部と、これらの台座用の複数の連結手段と、上下の面付け錠箱とを含み、前記ケース状長座１５は扉１の内壁面１ａに取付けベースを介して垂直状態に固定され、また前記面付け錠箱４、４は前記長座の一側壁に形成された上下の縦長開口１９、１９を介して該長座にそれぞれ組込み込まれ、また前記室外側の上下の台座６Ａ、６Ｂはそれぞれ連結柱を有すると共に、これらの連結柱は前記扉の外壁面から前記長座へと差し込まれ、一方、前記室内側の上下の台座２Ａ、２Ｂは、前記長座の正面壁１５ａに前記上下の台座６Ａ、６Ｂにそれぞれ対応するように位置付けられ、さらに、前記室内側台座２Ａ、２Ｂと前記室外側の台座６Ａ、６Ｂは、室内側台座２Ａ、２Ｂから差し込まれかつ室外側の台座６Ａ、６Ｂの前記連結柱の内端部にそれぞれ螺着する前記連結手段に呼び付けられて一体的に結合することを特徴とする面付け錠ユニットの扉に対する取付け構造。
【請求項２】
請求項１に於いて、上下の台座６Ａ、６Ｂの嵌合孔には、外側の機械的操作装置７、７がそれぞれ組み込まれると共に、上下の台座６Ａ、６Ｂには長尺状の室外ハンドル８が垂直状態に配設されていることを特徴とする面付け錠ユニットの扉に対する取付け構造。
【請求項３】
請求項１に於いて、扉の内壁面に固定される取付けベースは、少なくとも前記内壁面に固定される第１ベース部と該第１ベース部に直交する第２ベース部とを有し、前記第２ベース部には、戸先側に形成された第１切欠状取付け部分を介して該第２ベース部と一側壁の外面とが面一状になるように長座が固定されていることを特徴とする面付け錠ユニットの扉に対する取付け構造。
【請求項４】
請求項１に於いて、長座の正面壁と対向する扉の内壁面側の背面壁には、取付け小孔が形成され、該取付け小孔が見える前記正面壁の部位には、該取付け小孔よりも大きい開口部が形成されていることを特徴とする面付け錠ユニットの扉に対する取付け構造。
【発明の詳細な説明】
【技術分野】
【０００１】
本発明は、縦長ハンドル用の面付け錠ユニットの扉に対する取付け構造に関する。
【背景技術】
【０００２】
特許文献１には、「ツインロック」とう名称の錠前が記載されている。特許文献１のツインロックとは、防犯性の向上を図るために１つの扉の自由端部に２つの錠前を配設すること意味している。例えば１枚の扉に対して室内側のレバーハンド或いはノブの軸部の軸線上に二つ錠箱を配設し、各錠箱の本施錠片（デッドボルト）は、扉枠側に配設した２以上の係入穴を有する錠受けに対して、前記各錠箱に設けた機械的操作装置（シリンダ錠やサムターン装置）の操作体（合鍵、サムターン摘み）を操作することによって、各錠箱の本施錠片を出没させるものである。
【０００３】
また、いずれか一方の錠箱に設けたラッチ機構を構成するラッチは、扉を貫通する角軸でハンドル軸部が連結された内外のレバーハンド或いはノブの操作力によって錠箱内に後退動する。
【０００４】
ところで、この特許文献１のツインロックは、防犯性の向上を図ることができるという利点を有するものの、２つの錠前は、いわゆる「面付け錠箱」と「掘り込み錠箱」とをそれぞれ操作部材の軸線上に組み合わせる構成であるから、（ａ）各錠箱を扉の正確な位置に取り付けるのが面倒である、（ｂ）同じ種類の錠箱、例えば二つの面付け錠箱を扉に取り付けることができない、（ｃ）仮に、面付け錠箱と掘り込み錠箱を扉の上下方向に所定間隔を有して取り付けた場合には、錠箱の種類が違うので、各錠箱の機械的操作装置に対して長尺状のハンドルを配設することができない。特に、特許文献１のツインロックでは、縦長のプッシュプル式室内ハンドルの基端部を各錠箱の機械的操作装置に対して配設することができない。
【０００５】
一方、特許文献２には、「扉用ハンドル装置」とう名称の錠前が記載されている。この特許文献２の扉用ハンドル装置は、扉の内外の壁面にハンドル台座に相当する上下の案内筒をそれぞれ固定し、これら上下の案内筒に案内される内側ハントル用の筒状連結固定体（１６、１７）と、これらの筒状連結固定体に摺動自在に案内されるように扉を貫通した上下一対の外側用の連結アーム（１４、１５）と、これらの連結アームに垂直状態に固定された縦長のプッシュプル式外ハンドル（１２）と、前記筒状連結固定体（１６、１７）に垂直状態に固定され、かつ、前記外ハンドル（１２）に前記連結アームの先端部の案内手段（Ｌ字形状の溝１４ａと係合ピン２２）を介して連結された縦長のプッシュプル式内ハンドル（１３）を備えている（符号は特許文献２のもの）。
【０００６】
この特許文献２は、特許文献１のツインロックとは相違し、錠箱の機械的操作装置に対して長尺状のハンドルを配設するものであるが、前記錠箱は、扉の自由端部内に組み込む掘り込み型であり、「面付け錠箱」でない。
【０００７】
また、特許文献２の１つの錠箱は、内外のプッシュプル式ハンドルの基端部の一方（例えば上端部）のみに対応するように扉に埋め込まれている。したがって、特許文献１の目的とする防犯性の向上を図ることができない。さらに、内側ハントル用の筒状連結固定体（１６、１７）、内側の縦長台座枠等を扉の内壁面に取り付けるものであることから、外観上の体裁も良くない。
【０００８】
また、特許文献３は、出願人が提案したものであるが、該特許文献３には、「扉の壁面に所定間隔離間して固定された第１・第２台座部材に案内される第１・第２摺動腕を有する中空棒状のハンドル、このハンドルに全体が内装され、対向端部が可動連結ピンで枢支されていると共に、中間部が第１・第２台座部材をそれぞれ構成する支持板１８、１８の各軸受け部２２、２２の挿入先端部にそれぞれ固定軸４３、４３を介して軸支され、かつ、上下の端部がハンドル内の端部支軸４４、４４を介してハンドルの上下部に連結された長尺状の第１・第２同期杆、揺動自在に設けられ、前記第１・第２摺動腕並びに前記第１・第２台座部材のいずれかに軸支されかつハンドルの水平動に連動して錠箱内の作動片を作動させる駆動レバー、第１・第２台座部材内にそれぞれ設けられ、かつ、プッシュ又はプル操作により移動したハンドルを初期位置へと戻す復帰バネとから成る錠の把手の構造」が記載されているものの、該特許文献３に記載されている錠箱も特許文献２と同様に「掘り込み型」である。
【先行技術文献】
【特許文献】
【０００９】
【特許文献１】特開２００３−３４３１３５号公報
【特許文献２】特開平１１−３２４４１８号公報
【特許文献３】特開２００６−２５１６号公報
【発明の概要】
【発明が解決しようとする課題】
【００１０】
本願発明の所期の目的は、防犯性の向上を図るために面付け錠のツインロックを実現することができると共に、外部からの不法な攻撃に対して、外側台座等を容易に取り外すことができないようにすること。第２の目的は、上下の台座に意匠の形態如何を問わずプッシュプル式の所定長の長尺状ハンドルを垂直状態に配設することができること。第３の目的は、外観上の美観を考慮し、縦長内部空間を有する長座の正面壁或いは扉の内壁面の正面から見たとき、取付けベース、固着具等が食み出るように見えないことである。その他の目的は、従属項によって特定され得る。
【課題を解決するための手段】
【００１１】
本発明の面付け錠ユニットの扉に対する取付け構造は、面付け錠ユニットの扉に対する取付け構造であって、該面付け錠ユニットは、少なくとも縦長内部空間を有するケース状の長座と、縦長ハンドル装着用内外の上下の台座或いは台座部と、これらの台座用の複数の連結手段と、上下の面付け錠箱とを含み、前記ケース状長座１５は扉１の内壁面１ａに取付けベースを介して垂直状態に固定され、また前記面付け錠箱４、４は前記長座の一側壁に形成された上下の縦長開口１９、１９を介して該長座にそれぞれ組込み込まれ、また前記室外側の上下の台座６Ａ、６Ｂはそれぞれ連結柱を有すると共に、これらの連結柱は前記扉の外壁面から前記長座へと差し込まれ、一方、前記室内側の上下の台座２Ａ、２Ｂは、前記長座の正面壁１５ａに前記上下の台座６Ａ、６Ｂにそれぞれ対応するように位置付けられ、さらに、前記室内側台座２Ａ、２Ｂと前記室外側の台座６Ａ、６Ｂは、室内側台座２Ａ、２Ｂから差し込まれかつ室外側の台座６Ａ、６Ｂの前記連結柱の内端部にそれぞれ螺着する前記連結手段に呼び付けられて一体的に結合することを特徴とする。
【００１２】
上記構成に於いて、上下の台座６Ａ、６Ｂの嵌合孔には、外側の機械的操作装置７、７がそれぞれ組み込まれると共に、上下の台座６Ａ、６Ｂには長尺状の室外ハンドル８が垂直状態に配設されていることを特徴とする。また、扉の内壁面に固定される取付けベースは、少なくとも前記内壁面に固定される第１ベース部と該第１ベース部に直交する第２ベース部とを有し、前記第２ベース部には、戸先側に形成された第１切欠状取付け部分を介して該第２ベース部と一側壁の外面とが面一状になるように縦長内部空間を有する長座が固定されていることを特徴とする。さらに、長座の正面壁と対向する扉の内壁面側の背面壁には、取付け小孔が形成され、該取付け小孔が見える前記正面壁の部位には、該取付け小孔よりも大きい開口部が形成されていることを特徴とする。
【発明の効果】
【００１３】
（ａ）面付け錠のツインロックを実現することができると共に、外部からの不法な攻撃に対して、外側台座等を容易に取り外すことができないようにすることができる。したがって、面付け錠に於いて、防犯性の向上を図ることができる。
（ｂ）上下の台座に意匠の形態如何を問わずプッシュプル式の所定長の長尺状ハンドルを配設することができる。
（ｃ）請求項３に記載の発明は、外観上の美観を考慮し、縦長内部空間を有する長座の正面壁或いは扉の内壁面の正面から見たとき、取付けベース、固着具等が食み出るように見えないことができる。また、請求項４に記載の発明は、正面壁の大きい開口部から背面壁の取付け小孔が見えるので、容易に長座の背面壁を壁面にビス止めすることができる。
（ｄ）その他、実施例如何によって、上下の取付けベースがシンプルな形態なので、これらの取付けベースを壁面の所望する箇所に容易に固定することができると共に、これらの取付けベースを基準として、長座を仮止めすることができる。
【図面の簡単な説明】
【００１４】
図１乃至図２４は本発明の最良の実施例を示す各説明図。
【図１】扉の自由端面（戸先）側から見た概略説明図。
【図２】扉の内壁面側から見た概略説明図。
【図３】扉を閉じた状態の平面視からの概略説明図。
【図４】扉の平面視からの概略説明図。
【図５】扉枠と錠受けの説明図。
【図６】図２に於いて、錠受けを含む施錠状態（ツインロック）の概略説明図。
【図７】主要部を構成する部材の分解斜視図（下方の面付け錠箱）。
【図８】要部（長座）の背面視からの斜視図。
【図９】各要部（取付けベース、長座、蓋体）の位置関係を示す斜視図。
【図１０】取付けベースの第１ベース部を扉の内壁面に固着した概略説明図。
【図１１】取付けベースの第２ベース部に長座の一側壁を固定した概略説明図。
【図１２】長座の上端開口と蓋体を示す概略説明図。
【図１３】長座の正面壁の開口から背面壁を見た概略説明図。
【図１４】図１３に於ける概略断面説明図。
【図１５】面付け錠箱を長座の縦長開口に嵌め込む途中の概略説明図。
【図１６】台座の左側面視からの分解説明図。
【図１７】内外の台座の連結手段の説明図。
【図１８】図３に於いて、その内部構成を示す概略説明図。
【図１９】全体の外観を示す斜視図。
【図２０】要部（内外の台座と連結手段）の分解説明図。
【図２１】要部（例えば下方の内外の台座が連結手段を介して一体的に結合）の説明図。
【図２２】要部（例えば下方の内外の台座を結合する場合）の説明図。
【図２３】要部（例えば下方の内外の台座が扉と長座を挟んで結合した場合）の説明図。
【図２４】面付け錠箱の取付け方法の工程図。
【発明を実施するための最良の形態】
【００１５】
以下、図１乃至図２４に示す本発明を実施するための最良の形態により説明する。
【００１６】
（１）特定要件に関する部材
まず、本発明の特定要件に関する部材を簡単に説明する。図１乃至図３に於いて、１は開閉体の一例としての扉、１ａは扉の内壁面、１ｂは扉の外壁面である。２Ａ、２Ｂは室内側の上下の台座、一方、６Ａ、６Ｂは室外側の上下の台座である。９は前記室外側の上方台座６Ａを室内側の上方台座２Ａに呼び付けることができる複数の台座用連結手段で、これらの台座用連結手段９の内、下方の単数又は複数は、上方の内外の台座２Ａ、６Ａと同様に室外側の下方台座６Ｂを室内側の下方台座２Ｂに呼び付けることができる。
すなわち、本実施例では、扉１を挟んで互いに対向する内外の台座（２Ａ、６Ａ）、（２Ｂ、６Ｂ）をそれぞれ一体的に連結する台座用連結手段９、９は、上・下共に同一の構成である。
【００１７】
次に、１３は扉１の内壁面１ａに固着手段を介して固定された上下一対の取付けベース板、１５はケース状の長座で、本実施例では該ケース状長座１５は複数の取付けベース板１３、１３及び複数の固着手段を介して前記内壁面１ａに間接的に固定される。４、４は、長板１５に組み込まれる上下の面付け錠箱で、これらの面付け錠箱４、４は、それぞれデットボルト、駆動カム等を備え、内外の機械的操作手段を連係状態に後付けすることができる、そして、前記上下の台座（２Ａ、２Ｂ）、（６Ａ、６Ｂ）には、垂直状態に固定式或いは可動式の内外の長尺状ハンドル５、８をそれぞれ配設することができる。
【００１８】
（２）面付け錠ユニット
本実施例の面付け錠ユニットは、少なくとも縦長の内部空間１８を有するケース状の長座１５と、この長座１５に内装される上下の面付け錠箱４、４と、前記長座１５の正面壁１５ｂに添設状態に固定される室内側の上下１組の台座２Ａ、２Ｂと、一方、これらの台座２Ａ、２Ｂに対して前記ケース状長座１５及び扉１を介して該扉１の外壁面１ｂに添設状態に固定される室外側の上下１組の台座６Ａ、６Ｂと、前記上方に位置する内外の台座２Ａ、６Ａを締め付け状態に一体的に連結する上方の単数又は複数の連結手段９と、同じく、前記下方に位置する内外の台座２Ｂ、６Ｂを締め付け状態に一体的に連結する下方の単数又は複数連結手段９を含み、さらに、必要に応じて、室内側の上下の台座２Ａ、２Ｂには、これらの台座に形成された嵌合孔、長座１５に形成された上下の嵌合孔等を介して室内側の上下の機械的操作装置３、３がそれぞれ装着され、一方、室外側の上下の台座６Ａ、６Ｂには、これらの台座に形成された上下の嵌合孔、扉１に形成された上下の開口等を介して室外側の上下の機械的操作手段７、７がそれぞれ装着される。なお、本実施例では、図１で示すように内外の上下の台座には、長尺状の室内ハンドル５と室外ハンドル８がそれぞれ固定的又は水平方向に所定量移動可能に配設されるが、これら内外のハンドル５、８は、同一の長さであれば、各種デザインのものを任意に選択して取付けることができる。
【００１９】
（３）内外の台座の連結構造
内外の台座の連結構造は、上方に位置する内外の台座２Ａ、６Ａも、下方に位置する内外の台座２Ｂ、６Ｂも同一なので、ここでは、図２０乃至図２３を参照にして下方に位置する内外の台座２Ｂ、６Ｂの連結構造について説明する。
【００２０】
図２０乃至図２３に於いて、右側が室内側の下方台座２Ｂで、この下方台座２Ｂは、長座１５の正面壁１５ｂに複数の上下の貫通小孔４１、４１及びこれらの貫通小孔にそれぞれ差し込まれる上下の呼び付けネジ９ｂ、９ｂを介して固着される取付け支持板（内側基板）２ａと、この取付け支持板２ａの複数の折曲端板部４２、４２及びこれらの折曲端板部にそれぞれ螺合する複数の止めネジ４３、４３を介して該取付け支持板２ａに一体的に固定される台座本体２ｂとから成る。
【００２１】
一方、左側が室外側の下方台座６Ｂで、この下方台座６Ｂは、複数の連結柱９ａ、９ａを有する外側基板６ａと、該外側基板に形成された上下の貫通小孔４５、４５及びこれらの貫通孔にそれぞれ差し込まれかつ内側に突出形成された螺合部４７、４７、複数の固着具４６、４６を介して該外側基板６ａに一体的に固着される台座本体６ｂとから成る。
なお、本実施例では、室内側の台座本体２ｂの矩形状取付け端面４４が長座の正面壁１５ｂに当接し、また、室外側の台座本体６ｂの矩形状取付け端面４８は扉１の外壁面１ｂに当接する。
【００２２】
（４）具体的な構成−機械的操作装置
図１は開閉体の一例としての扉１の自由端面から見ている。扉１の左側が室外、一方、扉１の右側が室内である。したがって、１ａは扉の内壁面、１ｂは扉の外壁面である。扉１の自由端部の内壁面１ａには、上下方向にケース状の長座１５が複数の取付けベース１３を介して固定されている。このケース状の長座１５は、例えば図７及び図８で示すように縦長状内部空間１８を有し、この縦長状内部空間１８に面付け錠箱４、４がそれぞれ固定的に内装されている。また、該長座１５の正面壁１５ｂ図１では右側壁に相当の上部と下部に、室内側の上下の台座２Ａ、２Ｂがそれぞれ固定され、さらに、これらの台座２Ａ、２Ｂにそれぞれ形成された水平方向の嵌合孔には、機械的操作装置３が前述した上下の面付け錠箱４、４の図示しない駆動カムの位置に対応するように組み込まれている。
【００２３】
本実施例では、前記台座２Ａ、２Ｂ、機械的操作装置３及び面付け錠箱４、４は、長座１５の上下にそれぞれ設けられている。また、機械的操作装置３は、例えばサムターン摘み３ａを有するサムターン装置で、これら上下のサムターン装置３、３は、上下一対の台座２Ａ、２Ｂに適宜に組み込まれている。５は縦長のプッシュプル式室内ハンドルで、この室内ハンドル５は上下の台座６Ａ、６Ｂには長尺状の室外ハンドル８が垂直状態に配設されている。
【００２４】
一方、扉１の自由端部の外壁面１ｂには、室外側の台座６Ａ、６Ｂと、室外側の機械的操作装置７、７と、縦長のプッシュプル式室外ハンドル８がそれぞれ取り付けられている。本実施例では、室内側の台座、機械的操作装置等の構成部材に対応して、前記台座６Ａ、６Ｂは扉１の外壁面１ｂに上下一対固定され、これら上下の台座６Ａ、６Ｂにそれぞれ水平方向に形成された嵌合孔に機械的操作装置７としてのシリンダ錠が扉１を貫通した状態でそれぞれ取付けられている。上下の機械的操作装置（シリンダ錠）７、７は、合鍵７ａ、７ａによって施・解錠可能である。
【００２５】
室内側の台座２Ａ、２Ｂと室外側の台座６Ａ、６Ｂは、互いに複数の連結手段９、９を介して一体的に連結されている。付言すると、室外側の台座６Ａ、６Ｂは扉１を貫通する複数本の筒型連結柱９ａ、９ａを有し、一方、室内側の台座２Ａ、２Ｂからねじ込まれる複数のオネジ９ｂ、９ｂによってそれぞれ引き込まれ、扉１及びケース状長座１５を挟んで互いに一体的に結合する。
【００２６】
（５）扉枠と錠受け
図３、図５及び図６を参照にして扉枠と、該扉枠に固定された錠受けを説明する。本実施例では、上下の面付け錠４、４を有する長座１５が単数又は複数（本実施例）の取付けベース１３、１３を介して扉１の内壁面１ａに固定されることから、前記上下の面付け錠４、４の本施錠片（例えばデッドボルトと鎌片）４ａが係入する係合穴１２ａを有する上下の金属製錠受け１２、１２Ａが、扉枠１１の外面に突出するようにそれぞれ固定されている。上下の金属製錠受け１２、１２Ａは、一体成形されていても良いが、本実施例では、上下方向に所定間隔を有して扉枠１１に配設され、例えば下方の金属製錠受け１２Ａは、本施錠片用の係合穴１２ａの他にラッチ４ｂ用の係合穴１２ｂを有している（図６参照）。扉側のラッチ４ｂは１つで十分であることから、上方の金属製錠受け１２は、本施錠片４ａ用の係合穴１２ａのみ有している。
【００２７】
（６）取付けベース１３、機械的操作装置、ハンドル
前述したように、複数の取付けベース１３は、扉１の自由端部の内壁面１ａに上下方向に所定間隔離間して固定され、これらの取付けベース１３、１３にケース状の長座１５が固定され、さらに、この長座１５の一側壁１５ａの縦長開口１９、１９から上下の面付け錠箱４、４がそれぞれ固定的に組み込まれる。長座１５を介して面付け錠箱４が取付けられと、その後に室内側の台座２Ａ、２Ｂと機械的操作装置３、３が前記面付け錠箱４に対応するようにそれぞれ扉１の内壁面１ａに間接的に取り付けられる。
【００２８】
さて、例えば図７、図９などに示すように、前記取付けベース１３は、少なくとも前記内壁面１ａに第１固着手段１４を介して固定される第１ベース部１３ａと該第１ベース部に直交する第２ベース部１３ｂとを有し、前記第２ベース部１３ｂには、上下端部にそれぞれ形成された第１切欠状取付け部分１７を介して該第２ベース部１３ｂと一側壁１５ａの外面とが面一状になるように縦長内部空間１８を有する長座１５が第２固着具手段１６を介して固定され、また、前記一側壁１５ａには複数の縦長開口１９、１９と共に該縦長開口の上下端に第２切欠状取付け部分２０、２０がそれぞれ形成され、さらに、前記縦長内部空間１８に組み込まれた上下の面付け錠箱４、４は、各フロント４ｃ、４ｃが前記一側壁１５ａの外面と面一状になるように前記第２の切欠状取付け部分２０、２０に第３固着具手段２２、２２を介して固定されている。
【００２９】
しかして、前記取付けベース１３は、例えば、端面Ｌ字形状であり、扉１の自由端部の内壁面１ａに上下方向に所定間隔離間して上下一対固定され、また前記長座１５は、その横断面の形状が横長の矩形枠（長方形）或いはコ字形状枠（本実施例）に形成され、前記上下の取付けベース１３、１３を介して前記扉１の内壁面１ａに固定されている。
【００３０】
また、図８で示すように、長座１５の正面壁１５ｂと対向する扉１の内壁面１ａ側の長板状背面壁１５ｃには、第４固着具２３、２３用の取付け小孔（貫通孔）２４、２４が形成され、該取付け小孔２４が見える前記正面壁の部位１５ｃには、該取付け小孔２４よりも大きい複数個の任意形状の開口部２５、２５を基準として、これらの開口部の上下方向の適宜部位（正面壁１５ｂの上部と下部）には、上下一対の機械的操作装置３、３をそれぞれ組付けるための嵌合孔２６、２６が形成されている。
【００３１】
さらに、前記開口部２５、２５及び嵌合孔２６、２６には、必要に応じて切欠状挿通孔２７がそれぞれ形成されており、これらの切欠状挿通孔２７には、図１の仮想線で示した複数本の筒型連結柱（連結杆）９ａ、９ａがそれぞれ挿通的に嵌合する。したがって、前記上下の開口部２５、２５は、それぞれ上下の機械的操作装置３の各作動軸用開口として用いられる。
【００３２】
加えて、前記上下の機械的操作装置３、３は、縦長のプッシュプル式室内ハンドル５の基端部付近にそれぞれ設けられ、機械的操作装置３、３は、それぞれサムターン摘み３ａ、３ａを有している。
【００３３】
一方、室外側の上下の台座６Ａ、６Ｂは、前述したように複数の連結柱９ａ、９ａをそれぞれ有する外側基板６ａ、６ｂをそれぞれ有しているので、内外の対応する台座（２Ａ、６Ａ）、（２Ｂ、６Ｂ）はそれぞれ連結手段９を介して一体的に連結される。
【００３４】
図２２は、内外の台座２Ｂ、６Ｂを結合する手順を概略的に示したものである。この図２２に於いて、符号Ａは上下の螺合部４７、４７を有する台座本体６ｂに外側基板６ａを内側から複数の固着具４６、４６を介して台座本体６ｂに固着する工程である。「室外側の台座（６Ａ、６Ｂ）」は、このように室外側の外側基板６ａと台座本体６ｂとを、台座本体６ｂの内側に突出形成された螺合部４７、４７に前記複数の固着具４６、４６を螺合することにより出来上がる。
【００３５】
次に符号Ｂは、室外側の下方の台座６Ｂの上下の連結柱９ａ、９ａを扉の開口（貫通孔）及び長座１５の開口（嵌合孔）に差込み、台座本体６ｂの矩形状内側端面４８を扉１の外壁面１ｂに当接する室外側の台座の差込み工程である。この時、図示しない室外側の上方の台座６Ａも同様に行われる。
【００３６】
次に符号Ｃは、室内側の下方台座２Ｂを構成する取付け支持板２ａの上下の貫通小孔４１、４１を台座６Ｂの上下の連結柱９ａ、９ａに位置合わせした状態で、該連結柱９ａ、９ａに上下の呼び付けネジ９ｂ、９ｂをそれぞれねじ込み、室外側の台座６Ｂと室内側の取付け支持板２ａとを一体的に連結する工程である。したがって、符号Ｃは、室外側の台座６Ａ、６Ｂの連結柱９ａ、９ａの内端部にそれぞれ螺着する内側の連結手段としての呼び付けネジ９ｂ、９ｂによって、室外側の台座６Ａ、６Ｂと室内側の台座２Ａ、２Ｂとをそれぞれ一体的に結合する内外の上下の台座結合工程である。この上下の台座結合工程Ｃでは、前記取付け支持板２ａの複数の折曲端板部４２、４２を複数の止めネジ４３、４３を介してそれぞれ螺合させて、該取付け支持板２ａに台座本体２ｂを固定する室内側台座（２Ａ、２Ｂ）製作工程も含まれている。
【００３７】
そして、符号Ｄは、図２１で示すように、下方の内外の対応する台座２Ｂ、６Ｂが複数の連結手段９、９を介して一体的に連結しかつ縦長の内外のハンドルの下方基端部を固定状態或いは可動状態に取付けた状態の一例を示している。また、内外の機械的操作装置３、７も台座２Ｂ、６Ｂの嵌合孔に適宜に組み込む。
【００３８】
（７）面付け錠箱の取付け方法
ここで、図２４を参照にして、面付け錠箱の取付け方法に関して説明する。図１乃至図４で示すように、単数又は複数の取付けベース１３及びボックス状あるいはコ字状の長座１５を介して壁面１ａに取り付けられる。図１では、下方の面付け錠箱４は、カマデッド（カマとデッドボルトのこと）４ａと、ラッチ４ｂを有するが、もちろん、上方の面付け錠箱４の方にカマデッド４ａと、ラッチ４ｂを設けても良い。付言すると、図１を逆様にした態様で実施しても良い。
【００３９】
さて、符号Ａは、扉１の自由端部の内壁面１ａに、例えば、複数の取付けベース１３を固定する取付けベース固定工程である。この取付けベース固定工程Ａでは、例えば、アングル形状或いは断面Ｌ字形状に形成された取付けベース１３の第１ベース部１３ａを壁面１ａに合わせ、複数個の第１固着手段１４を用いて該第１ベース部１３ａを壁面１ａに固着する。また、上下の取付けベース１３、１３は、上下方向に所定間隔を有して固着される。
【００４０】
次に、符号Ｂは、取付けベース１３の第２ベース部１３ｂに長座１５の一側壁１５ａの上下端部にそれぞれ形成された第１切欠状取付け部分１７、１７を嵌め合わせ、第２固着具手段１６を用いて該第２ベース部１３ｂに長座１５を固定する長座仮止め工程である。この長座仮止め工程Ｂでは、第２ベース部１３ｂと一側壁１５ａの外面とが面一状になるようにビス止めする。この時、本実施例では、長座１５の上端開口と下端開口にそれぞれ嵌合する平面視長方形状の蓋体３１、３１（図９、図１９参照）が存在するので、これらの蓋体３１、３１の段差状側壁下部に形成したネメジ３２に第２固着具手段１６をねじ込んで、蓋体も一緒に固定する。
【００４１】
なお、前記蓋体３１、３１は、単に嵌合する方式でも良く。蓋体３１を長座１５の上端開口と下端開口にそれぞれ単に嵌合する場合には、容易に外れないように係合突起、弾性係合片等の係合手段を適宜に設ける。
【００４２】
次に、符号Ｃは、長座１５の上下の長板状各背面壁１５ｃの各取付け小孔（貫通孔）２４、２４に第４固着具２３、２３をねじ込んで長座１５を扉１の内壁面１ａに固定する長座完全固定工程である。この長座完全固定工程Ｃでは、長座１５の正面壁１５ｂの幅広開口部２５、２５から各取付け小孔（貫通孔）２４、２４が見えるので、これらの幅広開口部２５、２５から第４固着具２３、２３を入れ、図示しないドライバーを用いて長座１５を壁面１ａにしっかりと固着する。
【００４３】
最後に、符号Ｄは、長座１５の縦長内部空間１８内に該長座１５に形成した上下の縦長開口１９、１９を介して上下の面付け錠箱４、４をそれぞれ組込み、かつ、これらの面付け錠箱４、４の各フロント板４ｃ、４ｃが長座１５の一側壁１５ａの外面と面一状になるように縦長開口１９、１９の端部の第２切欠状取付け部分２０、２０に第３固着具手段２２、２２を介して各面付け錠箱４、４を固定する面付け錠箱固定工程である。
【００４４】
その後に、（６）で前述したように長座１５の正面壁１５ｂには、室内側の上下の台座２Ａ、２Ｂが、一方、扉１の外壁面１ｂには室外側の上下の台座６Ａ、６Ｂがそれぞれ対向状態に複数の連結手段９、９を介して取付けられ、さらに、内外の機械的操作装置３、３、７、７が嵌合孔に組み込まれ、加えて、任意に選択された所定長さの内外のハンドル５、８が上下の台座に垂直状態に配設される。なお、図２３には、台座内に不番の作動レバー、作動レバー用復帰バネ、バネ支持板等が内装されているが、これらの詳細な発明は割愛する。
【実施例】
【００４５】
本実施例では、上方の台座（２Ａ、６Ａ）と下方の台座（２Ｂ、６Ｂ）は、それぞれ別体に形成され、上下方向に所定間隔を有して扉の壁面１ａ、１ｂに直接並びに間接的に固着されているが、設計如何によっては、一体成形しても良い。
【００４６】
また、例えば台座及び扉には、機械的操作装置（シリンダ錠）７、７がそれぞれ設けられているものの、上下の面付け錠箱４、４の一方は、いわゆる空錠（デットボルトを出没させるダルマが存在しないもの）であっても良い。
【００４７】
また、本実施例では、長座１５の戸先側の上下端部にそれぞれ形成された上下一対の第１切欠状取付け部分１７、１７、および、上下一対の取付けベース１３、１３を介して、長座１５を扉１の内壁面１ａに固定するが、例えば、長座１５の一側壁１５ａの中央部（中央寄りの部位も含む）に単数又は複数の第１切欠状取付け部分１７を形成した場合には、これに対応して、前記取付けベース１３も単数又は複数となる。
【産業上の利用可能性】
【００４８】
本発明は、錠前や建具の分野で利用される。
【符号の説明】
【００４９】
１…扉、１ａ…内壁面、２Ａ、２Ｂ…室内側の台座、２ａ…取付け支持板、２ｂ…台座本体、３…機械的操作装置、３ａ…サムターン摘み、４…面付け錠箱、４ａ…本施錠片、４ｂ…ラッチ、４ｃ…フロント板、５…室内ハンドル、６Ａ、６Ｂ…室外側の台座、７…室外側の機械的操作装置、７ａ…合鍵、８…室外ハンドル、９…連結手段、１１…扉枠、１２…錠受け、１３…取付けベース、１３ａ…第１ベース部、１３ｂ…第２ベース部、１４…第１固着手段、１５…長座、１５ａ…一側壁、１５ｂ…正面壁、１５ｃ…背面壁、１６…第２固着具手段、１７…第１切欠状取付け部分、１８…縦長内部空間、１９…縦長開口、２０…第２切欠状取付け部分、２２…第３固着具手段、２３…第４固着具、２４…取付け小孔（貫通孔）、２５…開口部、３１…蓋体、３２…メネジ。
【図１】
2011149237.tif 000003
【図２】
2011149237.tif 000004
【図３】
2011149237.tif 000005
【図４】
2011149237.tif 000006
【図５】
2011149237.tif 000007
【図６】
2011149237.tif 000008
【図７】
2011149237.tif 000009
【図８】
2011149237.tif 000010
【図９】
2011149237.tif 000011
【図１０】
2011149237.tif 000012
【図１１】
2011149237.tif 000013
【図１２】
2011149237.tif 000014
【図１３】
2011149237.tif 000015
【図１４】
2011149237.tif 000016
【図１５】
2011149237.tif 000017
【図１６】
2011149237.tif 000018
【図１７】
2011149237.tif 000019
【図１８】
2011149237.tif 000020
【図１９】
2011149237.tif 000021
【図２０】
2011149237.tif 000022
【図２１】
2011149237.tif 000023
【図２２】
2011149237.tif 000024
【図２３】
2011149237.tif 000025
【図２４】
2011149237.tif 000026